(57)【要約】【課題】取り付けるための壁面の制約を緩和することができるオーニング装置を提供する。【解決手段】所定の間隔を有して建物の躯体に固定される一対のブラケット（１５）と、一対のブラケットに保持され、キャンバス（３１）を巻き取り及び巻き戻し可能に回動する巻き取りロール（３０）と、ブラケットに一端を取り付けられた屈伸可能なアーム（３５）と、アームの他端及びキャンバスの端部が固定された前枠（４０）と、を有し、建物側から離隔する方向に、巻き取りロール、アーム、及び前枠の順に配置されるとともに、アームが屈曲した姿勢で、ブラケットの下面の建物側端部よりも、アームの下端が低い位置となるように配置されたものとする。【選択図】図５
2014125867.tif 000002
【特許請求の範囲】
【請求項１】
所定の間隔を有して建物の躯体に固定される一対のブラケットと、
前記一対のブラケットに保持され、キャンバスを巻き取り及び巻き戻し可能に回動する巻き取りロールと、
前記ブラケットに一端を取り付けられた屈伸可能なアームと、
前記アームの他端及び前記キャンバスの端部が固定された前枠と、を有し、
前記建物側から離隔する方向に、前記巻き取りロール、前記アーム、及び前記前枠の順に配置されるとともに、
前記アームが屈曲した姿勢で、前記ブラケットの下面の前記建物側端部よりも、前記アームの下端が低い位置となるように配置されたオーニング装置。
【請求項２】
前記ブラケットの前記建物から離隔した側の端部には斜め下方に傾斜する部位を有する請求項１に記載のオーニング装置。
【請求項３】
前記ブラケットを下方から覆う下部ケースをさらに備え、
前記巻き取りロールに前記キャンバスが巻き取られた姿勢で、前記前枠の下端位置が、前記下部ケースの前記建物の躯体側における下端位置、又は、前記下部ケースのうちその上方に前記巻き取りロールが存する範囲内における前記下部ケースの下端位置、の少なくとも一方より低い位置となるように構成されている、請求項１又は２に記載のオーニング装置。
【発明の詳細な説明】
【技術分野】
【０００１】
本発明は、建物躯体に取り付けられキャンバスを巻き出すことにより日差しや雨をよけることができるオーニング装置に関する。
【背景技術】
【０００２】
日差しや雨をよけるために、建物開口部の上方にオーニング装置を配置することがある。このようなオーニング装置では、巻き取りパイプに布（キャンバス）が巻き取られており、その時々の天候や、使用者の好みによって適宜キャンバスを巻き出して直射日光や雨をよけることができるように構成されている。夏の日差しが強くなる傾向にある昨今、直射日光を遮り、室内の冷房効率を高めることが個々の住宅でも行われ、かかる観点からもオーニング装置の需要は増している。
【０００３】
従来のオーニング装置としては例えば特許文献１のようなものがある。このような従来のオーニング装置は次のような構造を有している。すなわち、所定の間隔を有して水平方向左右に配置され建物の躯体に固定されるブラケットを備え、ブラケットには、この左右のブラケットを渡すように回動可能に巻き取りパイプが保持されている。巻き取りパイプに上記のようにキャンバスが巻き取られている。
一方、それぞれのブラケットには、該ブラケットに回動可能に一端側が取り付けられ、伸展することで前方へ繰り出されるアームが設けられ、２つのアームの先端には該２つのアームを渡すように前枠が取り付けられている。この前枠には、キャンバスの１つの端部が固定されている。
これにより、アームを揺動させて前方に繰り出すことにより、前枠もこれに追随して前方に移動し、前枠に固定されたキャンバスの一端も前方に移動してキャンバスが巻き出される。キャンバスが巻き出されると開口部の正面の上方を覆うようにしてキャンバスが展開するので、展開した部分の下方では日差しや雨をよけることができる。
【先行技術文献】
【特許文献】
【０００４】
【特許文献１】特許第４４８１６３４号公報
【発明の概要】
【発明が解決しようとする課題】
【０００５】
特許文献１に記載のような従来の技術によれば、建物躯体に設置することができればオーニング装置としての機能を発揮して日差しや雨をよけることが可能である。しかしながら、特許文献１の図１０等に表れているように、従来のオーニング装置は建物の躯体側への取付部の上下方向が大きく、オーニング装置を側面から見たとき、特に建物躯体側半分の上下方向が大きかった。
このような構造では、例えば建物の開口部上方に予め備えられていた庇とシャッターボックスとの隙間にオーニング装置を取り付けることができないことがあった。すなわちオーニング装置を取り付けるために比較的大きな壁面の範囲を確保する必要があり、制約が多かった。
【０００６】
そこで本発明は、上記の点を鑑み、取り付けるための壁面の制約を緩和することができるオーニング装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、所定の間隔を有して建物の躯体に固定される一対のブラケット（１５）と、一対のブラケットに保持され、キャンバス（３１）を巻き取り及び巻き戻し可能に回動する巻き取りロール（３０）と、ブラケットに一端を取り付けられた屈伸可能なアーム（３５）と、アームの他端及びキャンバスの端部が固定された前枠（４０）と、を有し、建物側から離隔する方向に、巻き取りロール、アーム、及び前枠の順に配置されるとともに、アームが屈曲した姿勢で、ブラケットの下面の建物側端部よりも、アームの下端が低い位置となるように配置されたオーニング装置（１）である。
【０００９】
請求項２に記載の発明は、請求項１に記載のオーニング装置（１）において、ブラケット（１５）の建物から離隔した側の端部には斜め下方に傾斜する部位を有する。
【００１０】
請求項３に記載の発明は、請求項１又は２に記載のオーニング装置（１）において、ブラケット（１５）を下方から覆う下部ケース（５０）をさらに備え、巻き取りロール（３０）にキャンバス（３１）が巻き取られた姿勢で、前枠（４０）の下端位置が、下部ケースの建物の躯体側における下端位置、又は、下部ケースのうちその上方に巻き取りロールが存する範囲内における下部ケースの下端位置、の少なくとも一方より低い位置となるように構成されている。
【発明の効果】
【００１１】
本発明によれば、建物躯体への取り付け面の大きさを抑えることができるので、オーニング装置の取り付けに必要な建物側の制約を緩和することができる。
【図面の簡単な説明】
【００１２】
【図１】図１（ａ）はオーニング装置１を上方からみた斜視図である。図１（ｂ）はオーニング装置１を下方からみた斜視図である。
【図２】オーニング装置１の端部を拡大して表した斜視図である。
【図３】図２の分解斜視図である。
【図４】オーニング装置１の側面図である。
【図５】図５（ａ）がブラケット本体１６の斜視図、図５（ｂ）がブラケット本体１６の側面図である。
【図６】図６（ａ）が端部キャップ５５の斜視図、図６（ｂ）が端部キャップ５５の側面図である。
【図７】オーニング装置１の構造を説明する図である。
【図８】オーニング装置１の伸展の順を説明する図である。
【図９】オーニング装置１を設置した１つの例を説明する図である。
【図１０】オーニング装置１を設置した他の例を説明する図である。
【発明を実施するための形態】
【００１３】
本発明の上記した作用及び利得は、次に説明する発明を実施するための形態から明らかにされる。以下、本発明を図面に示す実施形態に基づき説明する。なお、ここに示す各図では説明のため一部の部材を省略したり、部材の形状を誇張して表すことがある。
【００１４】
図１は、１つの形態にかかるオーニング装置１の外観斜視図である。図１（ａ）は斜め上方からみた斜視図、図１（ｂ）は斜め下方からみた斜視図である。図１（ａ）ではキャンバス３１を破線で示し、透視してアーム３５が見えるように表している。
図２は、図１（ａ）にＩＩで示した部位であり、オーニング装置１の一端側を拡大して示した図である。また、図３には、図２の分解斜視図を表した。さらに図４には、図１（ａ）にＩＶで示した方向からみた側面図を示した。図４では説明のため端部キャップ５５を除外している。
【００１５】
図１乃至図４からわかるように、オーニング装置１は、位置決め部材１０、ブラケット１５、巻き取りロール３０、キャンバス３１、アーム３５、前枠４０、上部ケース４５、下部ケース５０、及び端部キャップ５５を有して構成されている。以下各部材について説明する。
【００１６】
位置決め部材１０は、板状の部材であり一方の板面が建物壁面に沿って重ねられ、不図示の固定部材により建物躯体に固定される。図３、図４に表れているように位置決め部材１０は、建物に取り付けられた姿勢で上端に上部ケース係止部１０ａ、及び下端に下部ケース係止部１０ｂをそれぞれ具備している。
【００１７】
ブラケット１５は、位置決め部材１０の左右のそれぞれに配置され一対を形成するとともに、それぞれのブラケット１５は不図示のビスにより建物壁面に取り付けられる。ブラケット１５は後で説明するように巻き取りロール３０やアーム３５を保持する保持手段として機能する。図３、図４からわかるように、ブラケット１５は、ブラケット本体１６及びアーム取付部材２０を有している。図５には、ブラケット本体１６の斜視図（図５（ａ））、及び側面図（図５（ｂ））を示した。
【００１８】
ブラケット本体１６は、図５（ａ）、図５（ｂ）からわかるように、取付部１７を備えており、該取付部１７は、１つの面が鉛直に配置されて建物壁面に沿って重ねられるとともに穴１７ａ、１７ｂを介して不図示の固定部材により建物躯体に固定される。
【００１９】
取付部１７のうち、上記のように建物壁面に重ねられた面とは反対側の面の下部からは、建物から離隔する方向（「離隔方向」と記載することがある。）に延びるように延出部１８が設けられている。延出部１８は図５（ｂ）からもわかるように、その下面が略水平となるように離隔方向に延びる部位１８ａを有している。さらに部位１８ａの離隔方向端部からは、斜め下方に延びる部位を具備している。また、延出部１８の離隔方向先端側には、延出部１８を左右方向に貫通する穴１８ｂ、１８ｃが設けられており、図３、図４に表れているように、ここにボルトを通してアーム取付部材２０が固定される。
【００２０】
さらに、ブラケット本体１６には、取付部１７と延出部１８とが形成する入隅部にロール保持部１９が設けられている。ロール保持部１９は、当該入隅部で取付部１７及び延出部１８の両方に固定されており、巻き取りロール３０の軸が配置される窪み１９ａを備えている。またロール保持部１９には巻き取りロールの端部を固定部材を通して固定するための穴１９ｂ、及び溝１９ｃが設けられている（図５（ａ）、図５（ｂ）、図４参照）。
【００２１】
以上のようなブラケット本体１６は、強度が高められていることが好ましい。具体的にはブラケット本体１６の左右方向を大きくしたり、何らかの部材を取り付けるための穴以外には貫通する部位を形成しないことを挙げることができる。本形態も図５（ａ）にＡ、Ｂで示した部位は反対側に貫通しておらず塞がれている。
【００２２】
アーム取付部材２０は、後述するアーム３５の一端側である建物側端部を固定するための部材であり、その下部がブラケット本体１６の離隔方向側端部に固定され、上部は上方に突出している。
【００２３】
巻き取りロール３０は、円筒状の軸部材であり、両端が左右のブラケット１５のロール保持部１９にかけ渡され、回動可能に保持されている。また、巻き取りロール３０の外周には布製のキャンバス３１が巻き取られている。キャンバス３１のうち、巻き取りロール３０の外周面の接する端部は当該巻き取りロール３０に固定されている。
このような巻き取りロールやキャンバス３１は公知のものを用いることができる。
【００２４】
アーム３５は、オーニング装置１の左右それぞれに配置されるアームであり、各アーム３５は、図１（ａ）、図１（ｂ）からわかるように、関節部３５ａを屈曲部として屈伸可能とされている。アーム３５のうち一端側である建物側の端部は上記したようにブラケット１５のアーム取付部材２０に軸３５ｂ（図３参照）で回動可能に取り付けられている。一方、アーム３５のうち他端側である離隔方向側の端部は前枠４０に回動可能に取り付けられている。アーム３５の屈伸の方向は、屈曲時にはその離隔方向側の端部が建物に近づき、アーム３５の伸展時には離隔方向側の端部が建物から遠ざかる。また鉛直方向については、離隔方向に沿って下がるように傾斜して伸展することが好ましく、その角度は特に限定されることはないが、水平面に対して１５°乃至２５°であることが好ましい。
このようなアーム自体の構成は公知のオーニング装置と同様とすることができる。
【００２５】
前枠４０は、長尺の枠材であり、２つのアーム３５の離隔方向側の端部を渡すように該アーム３５に取り付けられている。また、前枠４０にはキャンバス３１の一端が固定されている。これにより、アーム３５の屈伸動作に追随して前枠４０も建物に近づいたり離隔したりする方向に移動する。また、その際にはキャンバス３１の端部もこれに追随するので、キャンバス３１の展開、巻き取りが可能となる。
【００２６】
上部ケース４５は、オーニング装置１の上部を形成して外観を向上し、雨等の水の侵入を抑制する板状の部材である。従って、上部ケース４５は、オーニング装置１の上部に配置され、図１（ａ）に表れているように左右方向に亘って延在する。一方、図４に表れる断面からからわるように、上部ケース４５の建物側端部は、位置決め部材１０の上部ケース係止部１０ａに係止している。また上部ケース４５の離隔方向側の端部はブラケット１５のアーム取付部材２０の上面に不図示の固定部材により固定されている。
【００２７】
下部ケース５０は、オーニング装置１の下部を形成して外観を向上させる部材である。従って、下部ケース５０は、オーニング装置１の下部に配置され、図１（ｂ）に表れているように左右方向に亘って延在する。一方、図４に表れる断面からわかるように、下部ケース５０はその長手方向に直交する断面において、直交する２つの片５０ａ、５０ｂを有して形成され、一方の片５０ａが建物壁面に沿って延びるように配置されて不図示の固定部材により建物躯体に固定される。その上端部は位置決め部材１０の下部ケース係止片１０ｂに係止している。一方、他方の片５０ｂは上記一方の片５０ａの下端から、離隔側に延在する。本形態では当該他方の片５０ｂは建物側から離隔方向に水平に延在し、巻き取りロール３０より建物から離隔した位置から斜め下方に傾斜するように傾斜部５０ｃを有して形成されている。
【００２８】
端部キャップ５５は、図１乃至図３からわかるように、美感を向上し、部品を雨水等から保護してこれらの防錆・防汚性を向上させる端部を被覆する部材である。図６（ａ）に端部キャップ５５の斜視図、図６（ｂ）に端部キャップ５５の側面図をそれぞれ示した。端部キャップ５５はオーニング装置１の左右方向両端部のそれぞれに配置される。各端部キャップ５５は容器状の部材であり、その内側に上部ケース４５、及び下部ケース５０の端部を差し込んで内包するようにして固定される。
また、端部キャップ５５は図６（ｂ）からわかるように、その上面側及び下面側は上部ケース４５及び下部ケース５０の断面形状に対応した形状を有している。すなわち、図６（ｂ）からわかるように端部キャップ５５の下面側には、下部ケース５０の水平に延びる片５０ｂに対応する水平な部位５５ａを有し、下部ケース５５の下方に傾斜する片５０ｃに対応する傾斜する部位５５ｂが設けられている。
【００２９】
さらに、オーニング装置１には、巻き取りロール３０の一端側に不図示のギアケースが取り付けられている。ギアケースからは駆動シャフト６０（図２、図４参照）が取り出されている。駆動シャフト６０を回動させると、その駆動力がギアケースで方向を変えられて、巻き取りロール３０が軸の周りに回転する。巻き取りロール３０が回転すると、ロールに巻き掛けられたキャンバス３１が出入りし、これに連動したアーム３５が屈曲、伸展する。
【００３０】
以上のような構成を備えるオーニング装置１は、さらに次のような特徴を有している。図７を参照しつつ説明する。図７は図４と同じ視点の図であり、キャンバス３１が全て巻き取られた姿勢の図である。
オーニング装置１では、巻き取りロール３０の離隔方向側の端部Ｃより、アーム３５の建物側端部に配置された回転軸３５ｂの建物側端部Ｄの方が、離隔方向側に配置されている。さらに、巻き取りロール３０にキャンバス３１が全て巻き取られ、アーム３５が屈曲した姿勢（すなわち図７に示した姿勢）で、ブラケット本体１６の延出部１８の下面のうち建物側端部の高さ位置（Ｅ）よりもアーム３５の下端部の高さ位置（Ｆ）の方が低い位置となるように構成されている。
これにより、オーニング装置１の構造において、巻き取りロール３０の下方に配置される部品、及び該部品の上下方向を小さく抑えることができ、オーニング装置１における取り付け面の上下方向Ｔを小さくすることが可能となる。これにより、後述するように建物の壁にオーニング装置１を取り付けるための面が小さい場合でもオーニング装置を取り付けることができる。すなわち、建物躯体への取り付け面の大きさを抑えることができるので、オーニング装置の取り付けに必要な建物側の制約を緩和することができる。
【００３１】
本形態では、上記したようにブラケット本体１６に部位１８ａ、下部ケース５０に片５０ｂを形成するとともに（図４参照）、端部キャップ５５にも同様に部位５５ａを形成して（図６（ｂ）参照）、所定の範囲では下方に広がることなく水平に部材を離隔方向に延出するように構成した。これにより、巻き取りロール３０の下方に配置される部材が下方に大きくなることを防止して建物の対する取付の制約をさらに緩和することができる。
【００３２】
また、巻き取りロール３０にキャンバス３１が巻き取られた姿勢（すなわち図７に示した姿勢）で、下部ケース５０の建物側における下端位置（図７にＫで表れた位置）、又は、下部ケース５０のうち、その上方に巻き取りロール３０が存する範囲（図７にＩで示した範囲）内における、下部ケース５０の下端位置（図７にＪで表れた位置）、の少なくとも一方よりも、前枠４０の下端位置（図７にＨで示した位置）が、低い位置となるように構成されていることが好ましい。これにより上記効果をさらに顕著なものとすることができる。
【００３３】
以上のようなオーニング装置１は次のように作用する。オーニング装置１の基本的な機能であるキャンバス３１の展開及び巻き取りの様子を図８に示した。図８（ａ）は巻き取りの姿勢、図８（ｂ）は展開をしている途中の姿勢、図８（ｃ）は展開後の姿勢である。このようなオーニング装置１の展開及び巻き取りは、公知のオーニング装置と同様である。すなわち、図８（ａ）の巻き取りの姿勢から駆動シャフト６０を回転させることにより、巻き取りロール３０が巻き戻し方向に回転するとともに、アーム３５が伸展の姿勢に推移する。これにより前枠４０が離隔方向に移動し、キャンバス３１が引き出される。そして図８（ｂ）の姿勢を経てオーニング装置１を図８（ｃ）の展開の姿勢にすることができる。
図８（ｃ）の姿勢からオーニング装置１を図８（ａ）のような収納の姿勢にするには上記を遡ればよい。
本形態では手動によりオーニング装置を操作して展開及び巻き取りを行う例を説明したが、電動により展開及び巻き取りを行うように構成することも可能である。このときには通常公知の手段により電動式に変更すればよい。電動式とした場合には駆動シャフトは不要となる。
【００３４】
また、オーニング装置１によれば、上記したようにその取り付けに必要な建物側の制約を緩和することができるので、例えば次のように取り付けることが可能となる。図９、図１０に例を示した。
図９の例は、建物開口部に具備された窓の上方に短い庇が設けられている場合である。このようなとき、開口部装置の上縁部と庇との間隙が小さい場合には、従来のオーニング装置ではこの間隙に取り付けることができないことがあった。これに対してオーニング装置１では図９のように取り付けることができるようになる。
一方、図１０の例は、建物開口部にはシャッターが取り付けられ、その上方に短い庇が設けられている場合である。このようなとき、シャッターボックスの上面と庇との間隙が小さい場合には、従来のオーニング装置ではこの間隙に取り付けることができないことがあった。これに対して、オーニング装置１では図１０のように取り付けることができるようになる。
【符号の説明】
【００３５】
１  オーニング装置
１０  位置決め部材
１５  ブラケット
１６  ブラケット本体
１７  取付部
１８  延出部
１９  ロール保持部
２０  アーム取付部材
３０  巻き取りロール
３１  キャンバス
４０  前枠
４５  上部ケース
５０  下部ケース
５５  端部キャップ
【図１】
2014125867.tif 000003
【図２】
2014125867.tif 000004
【図３】
2014125867.tif 000005
【図４】
2014125867.tif 000006
【図５】
2014125867.tif 000007
【図６】
2014125867.tif 000008
【図７】
2014125867.tif 000009
【図８】
2014125867.tif 000010
【図９】
2014125867.tif 000011
【図１０】
2014125867.tif 000012